(57)【要約】【課題】パネル部をはずさなくても容易にフィルターの汚れ具合が確認できて、適時にメンテナンスを行い、効果的な換気ができる換気口を提供することを目的とする。【解決手段】パネル部７に透視可能な可視部１０を備えたという構成にしたことにより、パネル部７はずさなくても、常時、可視部１０から覗き見ることができ、フィルター８に付着している埃や粉塵、または虫の死骸などによる汚れ具合や目詰まりの状態が確認できることとなるので、適時にメンテナンスを行い、効果的な換気ができる換気口を得られる。【選択図】図１
2017161116.tif 000002
【特許請求の範囲】
【請求項１】
室内と室外を連通する通風路を形成する筒状の本体部と、
前後方向移動自在に保持して、前記本体部の前記通風路の前面開口部を開閉するパネル部を有した換気口において、
前記本体部は、前後方向に移動操作することによる前後方向の所定の位置に保持する軸部を設けた機構部と、
前記通風路内に着脱可能に設けられたフィルターを有し、
前記パネル部は、裏面に係合部を有し、前記軸部と着脱可能に係合し、
さらに前記パネル部には、透視可能な可視部を備えたことを特徴とする換気口。
【請求項２】
前記パネル部の裏面に、前記係合部の開放辺外側部分を残して、パッキンを貼り付け、
前記係合部は、矩形状の一辺を開放したコの字型のリブとし、
前記係合部の開放辺から前記軸部を出し入れして前記パネル部を着脱し、
前記可視部は、前記係合部の開放辺外側部分に設けた請求項１記載の換気口。
【請求項３】
前記可視部を複数個設けた請求項１または２記載の換気口。
【発明の詳細な説明】
【技術分野】
【０００１】
本発明は、建物の換気を行うために室内側に取り付けられる換気口に関するものである。
【背景技術】
【０００２】
従来の換気口は、室外の新鮮な空気を取り入れるために用いられている。すなわち、別途設けられた排気用の換気扇（トイレ、廊下、キッチンのレンジフードなど）は、屋内の空気を排気する。その一方で、排気された空気の代わりに、換気口から室内へ新鮮な外気が給気されるのである。
【０００３】
以下、その換気口について図４〜図６を参照しながら説明する。
【０００４】
図４〜図６に示すように、従来の換気口は、本体部１０２と、パネル部１０７と、本体部１０２内に設けられたフィルター１０８を有している。本体部１０２は、室内と室外を連通する通風路１０１を形成し、筒形状となっている。本体部１０２には、前後方向に移動操作し、前後方向の所定の位置に保持される軸部１０３を設けた機構部１０４を有している。パネル部１０７は、本体部１０２の前面開口部１０５に前後方向移動自在に配設される。そして、パネル部１０７は、本体部１０２の通風路１０１の前面開口部１０５を開閉する。また、パネル部１０７は、裏面に軸部１０３に着脱可能に係合する係合部１０６を有している。フィルター１０８は、本体部１０２の通風路１０１内に着脱可能に係合している（例えば、特許文献１）。
【先行技術文献】
【特許文献】
【０００５】
【特許文献１】特開２００６−２４２４４６号公報（図１、５、２３）
【発明の概要】
【発明が解決しようとする課題】
【０００６】
このような従来の換気口においては、外気の空気を清浄してから室内に取り入れる為、あるいは、虫の侵入を防止する為にフィルターが設けられている。このフィルターは時間が経つにつれて汚れて目詰まりし始める。効果的な換気を行うには、汚れ具合や目詰まりの状態によって、フィルターの清掃や取替えなどが必要となる。しかし、季節や換気口が設置されている建物の屋外環境などによって、フィルターの汚れ具合や目詰まりを起こす周期は異なってくる。よって、効果的な換気を行うには、メンテナンスの為に、居住者が定期的にパネル部をはずして、フィルターの汚れ具合や目詰まりの状態を確認する必要があった。また、居住者が気付かないままフィルターが目詰まりしていて、効果的な換気ができなくなるという課題を有していた。
【０００７】
そこで本発明は、上記従来の課題を解決するものであり、パネル部をはずさなくても容易にフィルターの汚れ具合が確認できて、適時にメンテナンスを行い、効果的な換気ができる換気口を提供することを目的とする。
【課題を解決するための手段】
【０００８】
そして、この目的を達成するために、本発明は、室内と室外を連通する通風路を形成する筒状の本体部と、前後方向移動自在に保持して、前記本体部の前記通風路の前面開口部を開閉するパネル部を有した換気口において、
前記本体部は、前後方向に移動操作することによる前後方向の所定の位置に保持する軸部を設けた機構部と、前記通風路内に着脱可能に設けられたフィルターを有し、前記パネル部は、裏面に係合部を有し、前記軸部と着脱可能に係合し、さらに前記パネル部には、透視可能な可視部を備えたものであり、これにより所期の目的を達成するものである。
【発明の効果】
【０００９】
本発明によれば、室内と室外を連通する通風路を形成する筒状の本体部と、前後方向移動自在に保持して、前記本体部の前記通風路の前面開口部を開閉するパネル部を有した換気口において、前記本体部は、前後方向に移動操作することによる前後方向の所定の位置に保持する軸部を設けた機構部と、前記通風路内に着脱可能に設けられたフィルターを有し、前記パネル部は、裏面に係合部を有し、前記軸部と着脱可能に係合し、さらに前記パネル部には、透視可能な可視部を備えたという構成にしたことにより、パネル部をはずさなくても、常時、可視部から覗き見ることにより、フィルターに付着している埃や粉塵、または虫の死骸などによる汚れ具合や目詰まりの状態が確認できることとなるので、適時にメンテナンスを行い、効果的な換気ができる、という効果を得ることができる。
【図面の簡単な説明】
【００１０】
【図１】本発明の実施の形態１の換気口を示す斜視図
【図２】同換気口を示す断面図
【図３】同換気口のパネル部の裏側を示す斜視図
【図４】従来の換気口を示す斜視図
【図５】同断面図
【図６】同パネル部を外した状態の斜視図
【発明を実施するための形態】
【００１１】
本発明の請求項１記載の換気口は、室内と室外を連通する通風路を形成する筒状の本体部と、前後方向移動自在に保持して、前記本体部の前記通風路の前面開口部を開閉するパネル部を有した換気口において、前記本体部は、前後方向に移動操作することによる前後方向の所定の位置に保持する軸部を設けた機構部と、前記通風路内に着脱可能に設けられたフィルターを有し、前記パネル部は、裏面に係合部を有し、前記軸部と着脱可能に係合し、さらに前記パネル部には、透視可能な可視部を備えたという構成を有する。
【００１２】
これにより、パネル部をはずさなくても、常時、可視部から覗き見ることにより、フィルターに付着している埃や粉塵、または虫の死骸などによる汚れ具合や目詰まりの状態が確認できることとなるので、適時にメンテナンスを行い、効果的な換気ができる、という効果を奏する。
【００１３】
また、前記パネル部の裏面に、前記係合部の開放辺外側部分を残して、パッキンを貼り付け、前記係合部は、矩形状の一辺を開放したコの字型のリブとし、前記係合部の開放辺から前記軸部を出し入れして前記パネル部を着脱し、前記可視部は、前記係合部の開放辺外側部分に設けてもよい。
【００１４】
このような構成により、断熱性能を確保しながら、フィルターの汚れ度合いの確認が可能になる。
【００１５】
また、前記可視部を複数個設けてもよい。このような構成により、ひとつの可視部から本体内部を覗いた時に、他の可視部から通風路内に光が入るので、フィルターの汚れ度合いの確認がしやすくなる。
【００１６】
以下、本発明の実施の形態について図面を参照しながら説明する。
【００１７】
（実施の形態１）
本実施の形態に係る換気口は、図示しないが、屋外と室内を隔てる壁を貫通した通風経路の室内側に取り付けられる。室外側には、雨水が浸入しにくいよう、屋外フードが設けられることが多い。建物の換気は、トイレ、廊下、キッチン等に設けられる換気扇による排気と、排気に伴って前記換気口などから流入する給気によって行われる。すなわち、換気扇を運転して、強制的な排気を行うと、室内と室外の間に圧力差が生じ、室内が負圧になる。効果的な換気を行うために、空気を給気する為の取り入れ口としての換気口が用いられる。また、換気口は、外の騒音が気になる場合や、吹雪や台風などの雪や雨・風が強いときには水の浸入を防止する為に、一時的に開口部分を閉じることができる。
【００１８】
図１は本発明の実施の形態の換気口を示す斜視図、図２は同換気口を示す断面図、図３は同換気口のパネル部の裏側を示す断面図である。
【００１９】
図１〜図２に示すように、換気口９は、本体部２と、パネル部７と、本体２内に設けられたフィルター８を有している。本体部２は、室内と室外を連通する通風路１を形成し、筒形状となっている。本体部２には、前後方向に移動操作し、前後方向の所定の位置に保持される軸部３を設けた機構部４を有している。パネル部７は、本体部２の前面開口部５に前後方向移動自在に配設される。そして、パネル部７は、本体部２の通風路１の前面開口部５を開閉する。また、パネル部7は、裏面に軸部３に着脱可能に係合する係合部６を有している。フィルター８は、本体部２の通風路１内に着脱可能に設けられている。そして、パネル部７に透視可能な可視部１０が備えられている。
【００２０】
図１に示すように、軸部３は、通風路１の通風方向に長い四角柱状である。軸部３の先端が係合部６と係合する。
【００２１】
図３に示すように、係合部６は、軸部３の三方を囲むような矩形のコの字形状のリブである。言い換えると、係合部６は、三方を壁、一辺を開放したものである。軸部３を係合部６に着脱する場合には、係合部６の開放辺（図３の底辺部）から軸部３を出し入れして行う。すなわち、パネル部７は、上下にスライドすることによって本体部２との着脱を行うのである。また、パネル部７の裏面には、パッキン１１が貼り付けてある。通風路１を外気が流入することになるので、パッキン１１は、パネル部７の裏面全体に貼り付けられることが望ましい。しかし、パネル部７の着脱時に、軸部３の先端部が係合部６の内部、及び、係合部６の開放辺の外側（図３における係合部６の下側）に接触するので、この部分にはパッキン１１を貼り付けないものとする。
【００２２】
一方、パネル部７は、一辺が１４０ｍｍ程度の矩形の板状の樹脂成形品である。可視部１０は、図１に示すように、パネル部７の略中央に、換気口９の外観を損ねない程度の大きさ、例えば、一辺が約１０ｍｍの大きさで矩形状に設けられている。また、可視部１０は、透明のアクリル樹脂製である。そして、本実施の形態では、可視部１０は、図３に示すように、パネル部７の係合部６の下方でパネル部７を着脱する際の前記軸部３の先端が移動する領域に設けられる。
【００２３】
このような構成によれば、パネル部７をはずさなくても、常時、可視部１０から覗き見ることにより、フィルター８に付着している埃や粉塵、または虫の死骸などによる汚れ具合や目詰まりの状態が確認できることとなる。従って、適時にメンテナンスを行うことによって、効果的な換気ができることとなる。
【００２４】
また、係合部６の開放辺外側の領域は、軸部３の先端の移動に干渉をしないようにパッキン１１が部分的に除かれている。その為、可視部１０を係合部６の開放辺外側の領域に設けることにより、パッキン１１に邪魔されずにフィルター８を除くことができ、断熱性や吸音性に影響を与えないこととなる。
【００２５】
また、可視部１０を複数個所に設けても良い。この場合には、ひとつの可視部１０からフィルター８を覗いた時に、他の可視部１０から光を通風路１内に入れることができ、フィルター８の汚れ度合いの確認を容易にできることになる。
【００２６】
また、本実施の形態における可視部１０は一例であり、大きさ、位置等、異なってもよい。
【産業上の利用可能性】
【００２７】
本発明にかかる換気口は、パネル部をはずさなくても、常時、可視部よりフィルターの汚れ具合や目詰まりの状態が確認できることを可能とするものであるので、室内側と室外側を連通するように天井面、壁面に設けられるダクトに装着される換気口などとしても有用である。
【符号の説明】
【００２８】
１    通風路
２    本体部
３    軸部
４    機構部
５    前面開口部
６    係合部
７    パネル部
８    フィルター
９    換気口
１０    可視部
１１    パッキン
【図１】
2017161116.tif 000003
【図２】
2017161116.tif 000004
【図３】
2017161116.tif 000005
【図４】
2017161116.tif 000006
【図５】
2017161116.tif 000007
【図６】
2017161116.tif 000008